(57)【要約】【課題】  より均一に照らすことが可能であるＬＥＤ照明器具およびショーケースを提供すること。【解決手段】  複数のＬＥＤ発光部２１０と、複数のＬＥＤ発光部２１０からの光を拡散しつつ透過する透光拡散カバー４００と、を備えたＬＥＤ照明器具１０１であって、隣合うＬＥＤ発光部２１０の距離Ｐ１と、ＬＥＤ発光部２１０と透光拡散カバー４００との距離Ｈ１とは、１．０Ｐ１≦Ｈ１≦２．０Ｐ１である。【選択図】  図３
2014186998.tif 000002
【特許請求の範囲】
【請求項１】
複数の第１ＬＥＤ発光部と、
上記複数の第１ＬＥＤ発光部からの光を拡散しつつ透過する透光拡散カバーと、を備えたＬＥＤ照明器具であって、
隣合う上記第１ＬＥＤ発光部の距離Ｐ１と、上記第１ＬＥＤ発光部と上記透光拡散カバーとの距離Ｈ１とは、１．０Ｐ１≦Ｈ１≦２．０Ｐ１であることを特徴とする、ＬＥＤ照明器具。
【請求項２】
上記透光拡散カバーのうち上記第１ＬＥＤ発光部と正対する部分は、曲率半径Ｒの曲面状であり、かつ、１．０Ｒ＜Ｈ１≦１．８Ｒである、請求項１に記載のＬＥＤ照明器具。
【請求項３】
上記第１ＬＥＤ発光部とは異なる色の光を発する複数の第２ＬＥＤ発光部をさらに備えており、
隣合う上記第２ＬＥＤ発光部の距離Ｐ２と、上記第２ＬＥＤ発光部と上記透光拡散カバーとの距離Ｈ２とは、１．０Ｐ２≦Ｈ２≦２．０Ｐ２である、請求項２に記載のＬＥＤ照明器具。
【請求項４】
隣合う上記第１ＬＥＤ発光部の間に、上記第２ＬＥＤ発光部が配置されている、請求項３に記載のＬＥＤ照明器具。
【請求項５】
上記距離Ｈ１と上記距離Ｈ２とが同一である、請求項４に記載のＬＥＤ照明器具。
【請求項６】
上記透光拡散カバーは、円筒形状である、請求項４または５に記載のＬＥＤ照明器具。
【請求項７】
上記透光拡散カバーは、断面円弧形状である、請求項４または５に記載のＬＥＤ照明器具。
【請求項８】
上記複数の第１および第２ＬＥＤ発光部を支持する細長状の放熱部材を備える、請求項６または７に記載のＬＥＤ照明器具。
【請求項９】
上記複数の第１および第２ＬＥＤ発光部は、上記放熱部材の長手方向に沿って配列されている、請求項８に記載のＬＥＤ照明器具。
【請求項１０】
上記放熱部材は、上記複数の第１および第２ＬＥＤ発光部を支持する細長状の支持面を有する、請求項９に記載のＬＥＤ照明器具。
【請求項１１】
上記支持面は、上記透光拡散カバーの曲率中心に対して、この支持面が向く側とは反対側に偏って配置されている、請求項１０に記載のＬＥＤ照明器具。
【請求項１２】
上記放熱部材は、上記支持面の長手方向と直角である幅方向両端から、上記支持面が向く方向に起立する１対の側壁を有している、請求項１１に記載のＬＥＤ照明器具。
【請求項１３】
上記支持面から上記各側壁の上記支持面が向く方向における端部までの距離は、上記支持面から上記曲率中心までの距離よりも小である、請求項１２に記載のＬＥＤ照明器具。
【請求項１４】
上記透光拡散カバーの両端に取り付けられた１対の口金を備えており、
上記１対の側壁の長手方向両端部は、上記１対の口金と係合している、請求項１２または１３に記載のＬＥＤ照明器具。
【請求項１５】
上記各側壁は、上記支持面が向く方向における端部に、断面コの字状の係合部が形成されている、請求項１４に記載のＬＥＤ照明器具。
【請求項１６】
上記各口金は、上記係合部の長手方向端に係合する係合突起を有する、請求項１５に記載のＬＥＤ照明器具。
【請求項１７】
上記係合突起は、断面Ｌ字状である、請求項１６に記載のＬＥＤ照明器具。
【請求項１８】
互いに直列に接続された第１直列数の上記第１ＬＥＤ発光部と、互いに直列に接続された第２直列数の上記第２ＬＥＤ発光部とが、互いに並列に接続されている、請求項６ないし１７のいずれかに記載のＬＥＤ照明器具。
【請求項１９】
上記第１直列数と上記第２直列数とは、互いに異なる、請求項１８に記載のＬＥＤ照明器具。
【請求項２０】
上記第１ＬＥＤ発光部の総数と上記第２ＬＥＤ発光部の総数とは、互いに同じであり、かつ、上記第１直列数と上記第２直列数との公倍数である、請求項１９に記載のＬＥＤ照明器具。
【請求項２１】
上記透光拡散カバーの透過率αは、５０％≦α≦７０％である、請求項６ないし１７のいずれかに記載のＬＥＤ照明器具。
【請求項２２】
上記第１および第２ＬＥＤ発光部は、ＬＥＤチップ、このＬＥＤチップを覆う透光樹脂、および実装端子を有するＬＥＤモジュールからなる、請求項６ないし２１のいずれかに記載のＬＥＤ照明器具。
【請求項２３】
上記第１および第２ＬＥＤ発光部と上記放熱部材との間に介在する基板を備える、請求項６ないし２２のいずれかに記載のＬＥＤ照明器具。
【請求項２４】
上記第１ＬＥＤ発光部は、昼光色を発し、上記第２ＬＥＤ発光部は、赤色光を発する、請求項１ないし２３のいずれかに記載のＬＥＤ照明器具。
【請求項２５】
上記第１ＬＥＤ発光部からの光と上記第２ＬＥＤ発光部からの光とが混色された光のスペクトルは、青色波長域である４００ｎｍ〜４６０ｎｍにおけるピーク強度を１とした場合、赤色波長域である６００ｎｍ〜７００ｎｍにおけるピーク強度が０．８０〜１．２０であり、かつ黄色波長域である５３０ｎｍ〜６００ｎｍにおけるピーク強度が０．３０〜０．５５である、請求項２４に記載のＬＥＤ照明器具。
【請求項２６】
上記第１ＬＥＤ発光部からの光と上記第２ＬＥＤ発光部からの光とが混色された光のスペクトルは、青色波長域である４００ｎｍ〜４６０ｎｍにおけるピーク強度を１とした場合、緑色波長域である４６０ｎｍ〜７００ｎｍにおける最小強度が０．１５〜０．４０である、請求項２５に記載のＬＥＤ照明器具。
【請求項２７】
上記第１ＬＥＤ発光部からの光と上記第２ＬＥＤ発光部からの光とが混色された光の色温度は、４２００Ｋ〜５２００Ｋである、請求項２５または２６に記載のＬＥＤ照明器具。
【請求項２８】
上記第１ＬＥＤ発光部からの光のスペクトルは、青色波長域である４００ｎｍ〜４６０ｎｍにおけるピーク強度を１とした場合、黄色波長域である５３０ｎｍ〜６００ｎｍにおけるピーク強度が０．３０〜０．５５である、請求項２５ないし２７のいずれかに記載のＬＥＤ照明器具。
【請求項２９】
上記第２ＬＥＤ発光部からの光のスペクトルは、上記第１ＬＥＤ発光部からの光のスペクトルの青色波長域である４００ｎｍ〜４６０ｎｍにおけるピーク強度を１とした場合、赤色波長域である６００ｎｍ〜７００ｎｍにおけるピーク強度が０．６０〜０．９０である、請求項２５ないし２８のいずれかに記載のＬＥＤ照明器具。
【請求項３０】
請求項１ないし２９のいずれかに記載のＬＥＤ照明器具と、
上記ＬＥＤ照明器具に照らされる棚と、
上記ＬＥＤ照明器具に供給される直流電力を出力するＬＥＤ電源部と、
を備えることを特徴とする、ショーケース。
【請求項３１】
上記棚に陳列された陳列物を冷却するための冷却手段を備える、請求項３０に記載のショーケース。
【請求項３２】
上記ＬＥＤ電源部は、交流電力が入力され、
上記ＬＥＤ電源部へと交流電力を出力する交流電源部を備える、請求項３０または３１に記載のショーケース。
【発明の詳細な説明】
【技術分野】
【０００１】
本発明は、ＬＥＤ照明器具およびショーケースに関する。
【背景技術】
【０００２】
たとえば、店頭において生鮮食料品を陳列するショーケースには、照明手段として一般的に直管形蛍光灯が用いられている（たとえば、特許文献１参照）。ショーケースは、少なくとも営業時間中において、上記照明手段を点灯させておく必要がある。このため、上記照明手段としては、比較的省エネルギーなものが求められる。また、生鮮食料品は、良好な鮮度を直感させる見栄えが重要である。このため、上記照明手段は、生鮮食料品をより均一な光で照らすことが望ましい。さらには、色合いなどの見栄えを向上させることにより、良好な鮮度を強調することがさらなる利点となる。
【０００３】
直管形蛍光灯は、たとえば白熱電球と比べて省エネルギーであり、鮮明な色合いを実現し得る照明手段である。直管形蛍光灯よりも省エネルギーを求める場合、光源としてＬＥＤチップを採用する方策がある。しかしながら、ＬＥＤチップを備える照明手段は、点光源であるため、直管形蛍光灯と同等以上に均一に照らすことは容易ではない。
【０００４】
特に、上記照明手段を用いて生鮮食料品を照らす場合、精肉の赤色および野菜の緑色の色合いが、購入者の関心を集める。すなわち、精肉が意図的ではない範囲で鮮やかな赤色を呈していると、その精肉の新鮮さなどの長所が購入者に伝わりやすい。同様に、野菜が意図的でない範囲で鮮やかな緑色を呈していると、その野菜の新鮮さなどの長所が購入者に伝わりやすい。このため、上記照明手段としては、照らされる物体の赤色や緑色を鮮やかに再現することが求められる。これに加えて、精肉や野菜以外の一般的な物体を照らす際には、白いものがバランスの良い白色を呈するなど、自然な発色を実現することが求められる。
【先行技術文献】
【特許文献】
【０００５】
【特許文献１】特開２０００−２３７０１０号公報
【発明の概要】
【発明が解決しようとする課題】
【０００６】
本発明は、上記した事情のもとで考え出されたものであって、より均一に照らすことが可能であるＬＥＤ照明器具およびショーケースを提供することをその課題とする。また、より自然に、かつより鮮やかに照らすことが可能なＬＥＤ照明器具およびショーケースを提供することをその課題とする。
【課題を解決するための手段】
【０００７】
本発明の第１の側面によって提供されるＬＥＤ照明器具は、複数の第１ＬＥＤ発光部と、上記複数の第１ＬＥＤ発光部からの光を拡散しつつ透過する透光拡散カバーと、を備えたＬＥＤ照明器具であって、隣合う上記第１ＬＥＤ発光部の距離Ｐ１と、上記第１ＬＥＤ発光部と上記透光拡散カバーとの距離Ｈ１とは、１．０Ｐ１≦Ｈ１≦２．０Ｐ１であることを特徴としている。
【０００８】
本発明の好ましい実施の形態においては、上記透光拡散カバーのうち上記第１ＬＥＤ発光部と正対する部分は、曲率半径Ｒの曲面状であり、かつ、１．０Ｒ＜Ｈ１≦１．８Ｒである。
【０００９】
本発明の好ましい実施の形態においては、上記第１ＬＥＤ発光部とは異なる色の光を発する複数の第２ＬＥＤ発光部をさらに備えており、隣合う上記第２ＬＥＤ発光部の距離Ｐ２と、上記第２ＬＥＤ発光部と上記透光拡散カバーとの距離Ｈ２とは、１．０Ｐ２≦Ｈ２≦２．０Ｐ２である。
【００１０】
本発明の好ましい実施の形態においては、隣合う上記第１ＬＥＤ発光部の間に、上記第２ＬＥＤ発光部が配置されている。
【００１１】
本発明の好ましい実施の形態においては、上記距離Ｈ１と上記距離Ｈ２とが同一である。
【００１２】
本発明の好ましい実施の形態においては、上記透光拡散カバーは、円筒形状である。
【００１３】
本発明の好ましい実施の形態においては、上記透光拡散カバーは、断面円弧形状である。
【００１４】
本発明の好ましい実施の形態においては、上記複数の第１および第２ＬＥＤ発光部を支持する細長状の放熱部材を備える。
【００１５】
本発明の好ましい実施の形態においては、上記複数の第１および第２ＬＥＤ発光部は、上記放熱部材の長手方向に沿って配列されている。
【００１６】
本発明の好ましい実施の形態においては、上記放熱部材は、上記複数の第１および第２ＬＥＤ発光部を支持する細長状の支持面を有する。
【００１７】
本発明の好ましい実施の形態においては、上記支持面は、上記透光拡散カバーの曲率中心に対して、この支持面が向く側とは反対側に偏って配置されている。
【００１８】
本発明の好ましい実施の形態においては、上記放熱部材は、上記支持面の長手方向と直角である幅方向両端から、上記支持面が向く方向に起立する１対の側壁を有している。
【００１９】
本発明の好ましい実施の形態においては、上記支持面から上記各側壁の上記支持面が向く方向における端部までの距離は、上記支持面から上記曲率中心までの距離よりも小である。
【００２０】
本発明の好ましい実施の形態においては、上記透光拡散カバーの両端に取り付けられた１対の口金を備えており、上記１対の側壁の長手方向両端部は、上記１対の口金と係合している。
【００２１】
本発明の好ましい実施の形態においては、上記各側壁は、上記支持面が向く方向における端部に、断面コの字状の係合部が形成されている。
【００２２】
本発明の好ましい実施の形態においては、上記各口金は、上記係合部の長手方向端に係合する係合突起を有する。
【００２３】
本発明の好ましい実施の形態においては、上記係合突起は、断面Ｌ字状である。
【００２４】
本発明の好ましい実施の形態においては、互いに直列に接続された第１直列数の上記第１ＬＥＤ発光部と、互いに直列に接続された第２直列数の上記第２ＬＥＤ発光部とが、互いに並列に接続されている。
【００２５】
本発明の好ましい実施の形態においては、上記第１直列数と上記第２直列数とは、互いに異なる。
【００２６】
本発明の好ましい実施の形態においては、上記第１ＬＥＤ発光部の総数と上記第２ＬＥＤ発光部の総数とは、互いに同じであり、かつ、上記第１直列数と上記第２直列数との公倍数である。
【００２７】
本発明の好ましい実施の形態においては、上記透光拡散カバーの透過率αは、５０％≦α≦７０％である。
【００２８】
本発明の好ましい実施の形態においては、上記第１および第２ＬＥＤ発光部は、ＬＥＤチップ、このＬＥＤチップを覆う透光樹脂、および実装端子を有するＬＥＤモジュールからなる。
【００２９】
本発明の好ましい実施の形態においては、上記第１および第２ＬＥＤ発光部と上記放熱部材との間に介在する基板を備える。
【００３０】
本発明の好ましい実施の形態においては、上記第１ＬＥＤ発光部は、昼光色を発し、上記第２ＬＥＤ発光部は、赤色光を発する。
【００３１】
本発明の好ましい実施の形態においては、上記第１ＬＥＤ発光部からの光と上記第２ＬＥＤ発光部からの光とが混色された光のスペクトルは、青色波長域である４００ｎｍ〜４６０ｎｍにおけるピーク強度を１とした場合、赤色波長域である６００ｎｍ〜７００ｎｍにおけるピーク強度が０．８０〜１．２０であり、かつ黄色波長域である５３０ｎｍ〜６００ｎｍにおけるピーク強度が０．３０〜０．５５である。
【００３２】
本発明の好ましい実施の形態においては、上記第１ＬＥＤ発光部からの光と上記第２ＬＥＤ発光部からの光とが混色された光のスペクトルは、青色波長域である４００ｎｍ〜４６０ｎｍにおけるピーク強度を１とした場合、緑色波長域である４６０ｎｍ〜７００ｎｍにおける最小強度が０．１５〜０．４０である。
【００３３】
本発明の好ましい実施の形態においては、上記第１ＬＥＤ発光部からの光と上記第２ＬＥＤ発光部からの光とが混色された光の色温度は、４２００Ｋ〜５２００Ｋである。
【００３４】
本発明の好ましい実施の形態においては、上記第１ＬＥＤ発光部からの光のスペクトルは、青色波長域である４００ｎｍ〜４６０ｎｍにおけるピーク強度を１とした場合、黄色波長域である５３０ｎｍ〜６００ｎｍにおけるピーク強度が０．３０〜０．５５である。
【００３５】
本発明の好ましい実施の形態においては、上記第２ＬＥＤ発光部からの光のスペクトルは、上記第１ＬＥＤ発光部からの光のスペクトルの青色波長域である４００ｎｍ〜４６０ｎｍにおけるピーク強度を１とした場合、赤色波長域である６００ｎｍ〜７００ｎｍにおけるピーク強度が０．６０〜０．９０である。
【００３６】
本発明の第２の側面によって提供されるショーケースは、本発明の第１の側面によって提供されるＬＥＤ照明器具と、上記ＬＥＤ照明器具に照らされる棚と、上記ＬＥＤ照明器具に供給される直流電力を出力するＬＥＤ電源部と、を備えることを特徴としている。
【００３７】
本発明の好ましい実施の形態においては、上記棚に陳列された陳列物を冷却するための冷却手段を備える。
【００３８】
本発明の好ましい実施の形態においては、上記ＬＥＤ電源部は、交流電力が入力され、上記ＬＥＤ電源部へと交流電力を出力する交流電源部を備える。
【００３９】
本発明のその他の特徴および利点は、添付図面を参照して以下に行う詳細な説明によって、より明らかとなろう。
【図面の簡単な説明】
【００４０】
【図１】本発明の第１実施形態に基づくＬＥＤ照明器具を示す要部斜視図である。
【図２】図１のＬＥＤ照明器具を示す要部分解斜視図である。
【図３】図１のＩＩＩ−ＩＩＩ線に沿う要部断面図である。
【図４】図３のＩＶ−ＩＶ線に沿う断面図である。
【図５】図３のＶ−Ｖ線に沿う断面図である。
【図６】図１のＬＥＤ照明器具のＬＥＤ発光部を示す断面図である。
【図７】図１のＬＥＤ照明器具のＬＥＤ発光部を示す断面図である。
【図８】図１のＬＥＤ照明器具の基板を示す要部平面図である。
【図９】図１のＬＥＤ照明器具の基板を示す要部平面図である。
【図１０】図１のＬＥＤ照明器具のＬＥＤ発光部の回路図である。
【図１１】本発明に係るショーケースの一例を示す斜視図である。
【図１２】図１１のＸＩＩ−ＸＩＩ線に沿う概略断面図である。
【図１３】本発明の第２実施形態に基づくＬＥＤ照明器具を示す断面図である。
【図１４】図１および図１３のＬＥＤ照明器具からの光のスペクトルを示すグラフである。
【図１５】図１および図１３のＬＥＤ照明器具の第１ＬＥＤ発光部からの光のスペクトルを示すグラフである。
【図１６】図１および図１３のＬＥＤ照明器具の第２ＬＥＤ発光部からの光のスペクトルを示すグラフである。
【発明を実施するための形態】
【００４１】
以下、本発明の好ましい実施の形態につき、図面を参照して具体的に説明する。
【００４２】
図１〜図５は、本発明の第１実施形態に基づくＬＥＤ照明器具を示している。本実施形態のＬＥＤ照明器具１０１は、複数のＬＥＤ発光部２１０、複数のＬＥＤ発光部２２０、基板３００、放熱部材５００、透光拡散カバー４００および１対の口金６００を備えている。本実施形態のＬＥＤ照明器具１０１は、いわゆる直管形蛍光灯の代替照明器具として用いられることが意図されている。
【００４３】
複数のＬＥＤ発光部２１０は、本発明で言う第１ＬＥＤ発光部に相当し、本実施形態においては、昼光色を発する。図６に示すように、本実施形態のＬＥＤ発光部２１０は、ＬＥＤチップ２１１、透光樹脂２１２、実装端子２１３およびケース２１４を具備するＬＥＤモジュールとして構成されている。ＬＥＤチップ２１１は、いわゆる２ワイヤタイプのＬＥＤチップとして構成されており、本実施形態においては、青色光を発する。透光樹脂２１２は、ＬＥＤチップ２１１を覆っており、たとえば透明樹脂に蛍光材料が混入された材質からなる。この蛍光材料は、ＬＥＤチップ２１１からの青色光によって励起されることにより黄色光を発する。この蛍光材料の種類および濃度は、ＬＥＤチップ２１１からの青色光とこの蛍光材料からの黄色光とが混色することにより昼白色を呈するように調整されている。実装端子２１３は、ＬＥＤ発光部２１０をたとえば面実装するためのものであり、たとえばＣｕ合金などからなるリードの裏面である。このリードの表面には、ＬＥＤチップ２１１が実装され、あるいはワイヤがボンディングされている。ケース２１４は、たとえば白色樹脂からなり、ＬＥＤチップ２１１を囲む枠状である。ケース２１４の内側面は、ＬＥＤチップ２１１からの光を反射することによりこの光を出射させるリフレクタとして機能している。
【００４４】
複数のＬＥＤ発光部２２０は、本発明で言う第２ＬＥＤ発光部に相当し、本実施形態においては、赤色を発する。図７に示すように、本実施形態のＬＥＤ発光部２２０は、ＬＥＤチップ２２１、透光樹脂２２２、実装端子２２３およびケース２２４を具備するＬＥＤモジュールとして構成されている。ＬＥＤチップ２２１は、いわゆる１ワイヤタイプのＬＥＤチップとして構成されており、本実施形態においては、赤色光を発する。透光樹脂２２２は、ＬＥＤチップ２２１を覆っており、たとえば透明樹脂からなる。実装端子２２３は、ＬＥＤ発光部２２０をたとえば面実装するためのものであり、たとえばＣｕ合金などからなるリードの裏面である。このリードの表面には、ＬＥＤチップ２２１が実装され、あるいはワイヤがボンディングされている。ケース２２４は、たとえば白色樹脂からなり、ＬＥＤチップ２２１を囲む枠状である。ケース２２４の内側面は、ＬＥＤチップ２２１からの光を反射することによりこの光を出射させるリフレクタとして機能している。
【００４５】
基板３００は、ｘ方向を長手方向とし、ｙ方向を幅方向とする長矩形状である。図８および図９は、それぞれ基板３００の長手方向半分に相当する領域を示している。これらの図に示すように、本実施形態においては、基板３００は、基材３１０および配線パターン３２０からなる。基材３１０は、セラミックスまたはガラスエポキシ樹脂、あるいは表面に絶縁処理が施されたアルミ板からなる。配線パターン３２０は、基材３１０の表面に形成されており、たとえばＡｕ，Ａｇなどの金属からなる。配線パターン３２０は、複数のＬＥＤ発光部２１０，２２０を発光させる電力を供給する電流経路を構成している。
【００４６】
図８および図９に示すように、本実施形態においては、複数のＬＥＤ発光部２１０，２２０は、ｘ方向に沿って一列に配置されている。また、複数のＬＥＤ発光部２１０と複数のＬＥＤ発光部２２０とは、互いに交互に配置されている。配線パターン３２０は、アノードライン３２１およびカソードライン３２２を有している。アノードライン３２１およびカソードライン３２２は、各々がｘ方向に長く延びており、複数のＬＥＤ発光部２１０，２２０を挟んでｙ方向両端寄りに互いに離間して配置されている。また、配線パターン３２０は、枝部３２３、横断部３２４および非横断部３２５を有している。枝部３２３は、アノードライン３２１またはカソードライン３２２のいずれかに繋がる部位である。横断部３２４は、あるＬＥＤ発光部２１０またはＬＥＤ発光部２２０のｙ方向一方側から、これと隣合うＬＥＤ発光部２１０またはＬＥＤ発光部２２０のｙ方向他方側に繋がる部位であり、ＬＥＤ発光部２１０，２２０の配列中心である基板３００のｙ方向中心線を横断している。非横断部３２５は、あるＬＥＤ発光部２１０またはＬＥＤ発光部２２０のｙ方向一方側から、これと隣合うＬＥＤ発光部２１０またはＬＥＤ発光部２２０のｙ方向一方側に繋がる部位であり、ＬＥＤ発光部２１０，２２０の配列中心である基板３００のｙ方向中心線を横断していない。
【００４７】
図８の図中左方に並ぶ６つのＬＥＤ発光部２１０は、アノードライン３２１から延びる枝部３２３と１つの非横断部３２５および４つの横断部３２４とカソードライン３２２に繋がる枝部３２３とを介して、アノードライン３２１とカソードライン３２２との間に直列に接続されている。図８に示された９つのＬＥＤ発光部２２０は、アノードライン３２１から延びる枝部３２３と５つの横断部３２４、１つの非横断部３２５および２つの横断部３２４と、カソードライン３２２に繋がる枝部３２３とを介してアノードライン３２１とカソードライン３２２との間に直列に接続されている。図８の図中右方に並ぶ３つのＬＥＤ発光部２１０と図９の図中左方に並ぶ３つのＬＥＤ発光部２１０とは、アノードライン３２１から延びる枝部３２３と４つの横断部３２４、１つの非横断部３２５および１つの横断部３２４とカソードライン３２２に繋がる枝部３２３とを介して、アノードライン３２１とカソードライン３２２との間に直列に接続されている。図９に示された９つのＬＥＤ発光部２２０は、アノードライン３２１から延びる枝部３２３と２つの横断部３２４、１つの非横断部３２５および５つの横断部３２４と、カソードライン３２２に繋がる枝部３２３とを介してアノードライン３２１とカソードライン３２２との間に直列に接続されている。図９の図中右方に並ぶ６つのＬＥＤ発光部２１０は、アノードライン３２１から延びる枝部３２３と１つの５つの横断部３２４とカソードライン３２２に繋がる枝部３２３とを介して、アノードライン３２１とカソードライン３２２との間に直列に接続されている。
【００４８】
図８および図９に示した配線パターン３２０の構成および複数のＬＥＤ発光部２１０，２２０の配置により、複数のＬＥＤ発光部２１０，２２０の電気回路は、図１０に示す構成とされている。同図に示す通り、６つずつのＬＥＤ発光部２１０がアノードライン３２１とカソードライン３２２との間で直列に接続されている。すなわち、本実施形態においては、本願で言う第１直列数は６である。一方、９つずつのＬＥＤ発光部２２０がアノードライン３２１とカソードライン３２２との間で直列に接続されている。すなわち、本実施形態においては、本願で言う第２直列数は９である。これらの３組のＬＥＤ発光部２１０と２組のＬＥＤ発光部２２０とが、互いに並列に接続されている。また、ＬＥＤ発光部２１０の総数は１８であり、ＬＥＤ発光部２２０の総数も同じく１８である。この総数１８は、第１直列数および第２直列数の公倍数である。
【００４９】
６つずつのＬＥＤ発光部２１０および９つずつのＬＥＤ発光部２２０には、それぞれ抵抗器３５０が直列に接続されている。なお、図１０以外の図においては、抵抗器３５０を便宜上省略している。本実施形態においては、６つのＬＥＤ発光部２１０および９つのＬＥＤ発光部２２０の各々に印加されるべき直流電圧は、１８Ｖである。後述する構成における電力供給の便宜上、抵抗器３５０は、６Ｖの電位差を生じる使用とされている。これにより、アノードライン３２１とカソードライン３２２との間に２４Ｖの直流電圧を印加することにより、ＬＥＤ照明器具１０１は、適切に発光可能となっている。
【００５０】
放熱部材５００は、ＬＥＤ発光部２１０，２２０を支持するとともに、ＬＥＤ発光部２１０，２２０からの放熱を促進するためのものである。図１〜図３に示すように、放熱部材５００は、ｘ方向に長く延びる細長状であり、たとえばアルミを押出成形することによって形成されている。図１〜図５に示すように、放熱部材５００は、底板５１０および１対の側壁５２０を有している。底板５１０は、ｘ方向に長く延びる長矩形状であり、たとえば厚さが１ｍｍ程度、幅（ｙ方向寸法）が２０ｍｍ程度とされている。底板５１０図中上面は、支持面５１１とされている。支持面５１１には、基板３００が取り付けられており、複数のＬＥＤ発光部２１０，２２０を支持している。
【００５１】
１対の側壁５２０は、底板５１０のｙ方向両端部から、支持面５１１が向く方向に起立している。側壁５２０の高さ（ｚ方向寸法）は、たとえば１０ｍｍ程度である。各側壁５２０のｚ方向上端には、係合部５２１が形成されている。係合部５２１は、断面コの字状であり、ｘ方向に長く延びている。また、各側壁５２０は、リブ５２２を有している。リブ５２２は、側壁５２０からｙ方向外方に向けて突出している。
【００５２】
透光拡散カバー４００は、ＬＥＤ発光部２１０，２２０からの光を拡散させつつ透過させるものであり、本実施形態においては、円筒形状とされている。透光拡散カバー４００は、たとえば半透明の乳白色樹脂からなる。透光拡散カバー４００の透過率αは、５０％以上かつ７０％以下が好ましく、より好ましくは６０％程度である。透光拡散カバー４００は、放熱部材５００、基板３００、複数のＬＥＤ発光部２１０，２２０を収容している。
【００５３】
１対の口金６００は、直管形蛍光灯用の取り付け部にＬＥＤ照明器具１０１を固定するための部位である。また、たとえば直管形蛍光灯用の取り付け部や電源系統に必要とされる電気的な改造を加えることにより、複数のＬＥＤ発光部２１０，２２０を点灯させるための直流電力を受ける機能を果たす。口金６００は、ケース６１０および端子６２０を有している。
【００５４】
ケース６１０は、たとえば樹脂からなり、本実施形態においては、略有底円筒形状とされている。ケース６１０は、２つの係合突起６１１および挟持部６１２，６１３を有している。図１〜図５に示すように、係合突起６１１は、断面Ｌ字状であり、ｘ方向に突出している。係合突起６１１は、放熱部材５００の係合部５２１に係合する。より具体的には、図４に示すように、本実施形態においては、係合突起６１１のうちｙ方向外方に延びる部分が、断面コの字状とされた係合部５２１に入り込む格好となっている。また、係合突起６１１のうち図中ｚ方向下方に延びる部分は、側壁５２０の内面に接するか、僅かな隙間を隔てて位置している。係合突起６１１と係合部５２１との良好な接触を実現するために、係合突起６１１の屈曲部分には、断面部分円形状の凹溝が形成されている。このような構成により、口金６００と放熱部材５００とが互いに固定される。挟持部６１２，６１３は、各々が円弧形状の凹部を有しており、これらの凹部に円筒形状とされた透光拡散カバー４００の端部が嵌り込む。これにより、透光拡散カバー４００が挟持部６１２，６１３に挟持されることとなり、口金６００と透光拡散カバー４００とが互いに固定される。
【００５５】
端子６２０は、たとえば金属製の棒状部材であり、一般的な直管形蛍光灯に対応して、１つの口金６００に２つの端子６２０が設けられている。図３に示すように、端子６２０と基板３００とは、たとえばケーブル６２１によって接続されている。なお、図３以外の図においては、ケーブル６２１を便宜上省略している。
【００５６】
図３および図４に示すように、本実施形態においては、複数のＬＥＤ発光部２１０，２２０は、透光拡散カバー４００のｙ方向中心である中心線Ｃｙに沿って１列に配列されている。また、ｚ方向においては、複数のＬＥＤ発光部２１０，２２０は、透光拡散カバー４００のｚ方向中心である中心線Ｃｚよりも図中下方、すなわち支持面５１１が向く側とは反対側に偏って配置されている。これにより、ＬＥＤ発光部２１０と透光拡散カバー４００までの距離Ｈ１およびＬＥＤ発光部２２０と透光拡散カバー４００までの距離Ｈ２は、いずれも透光拡散カバー４００の曲率半径Ｒよりも大である。なお、本実施形態においては、距離Ｈ１と距離Ｈ２とは、ほぼ同一である。本願が意図する効果を奏するには、距離Ｈ１，Ｈ２と曲率半径Ｒとは、１．０Ｒ＜Ｈ１（＝Ｈ２）≦１．８Ｒであることが好ましい。本実施形態においては、距離Ｈ１，Ｈ２は、曲率半径Ｒの１．５倍程度である。
【００５７】
図３において、隣合うＬＥＤ発光部２１０どうしの距離Ｐ１は、１．０Ｐ１≦Ｈ１≦２．０Ｐ１であることが好ましい。また、隣合うＬＥＤ発光部２２０どうしの距離Ｐ２は、１．０Ｐ２≦Ｈ２≦２．０Ｐ２であることが好ましい。
【００５８】
図１１および図１２は、ＬＥＤ照明器具１０１が用いられたショーケースの一例を示している。本実施形態のショーケース７０１は、たとえば野菜や肉類などの生鮮食料品を保冷しつつ陳列するために用いられるものであり、筐体７１０、複数の棚７２０、冷却手段７３０、交流電源部７４０、ＬＥＤ電源部７５０および複数のＬＥＤ照明器具１０１を備えている。
【００５９】
筐体７１０は、たとえば金属および樹脂からなり、ショーケース７０１の外形を構成している。複数の棚７２０は、図中上下方向に並んでおり、それぞれが生鮮食料品を並べることが可能とされている。冷却手段７３０は、たとえば冷媒およびこの冷媒を循環させるコンプレッサーと冷風を送るファンとを備えて構成しており、たとえば筐体７１０の下部に格納されている。冷却手段７３０からの冷風は、適宜設定された風路にそって、各棚７２０へと導かれる。
【００６０】
交流電源部７４０は、たとえば商用の交流１００Ｖ電源から交流電力を受けることにより、冷却手段７３０およびＬＥＤ電源部７５０へと交流電力を出力するものである。
【００６１】
ＬＥＤ電源部７５０は、交流電源部７４０から入力された交流電力を変換することにより、ＬＥＤ照明器具１０１を点灯させるための直流電力を出力する。本実施形態においては、ＬＥＤ電源部７５０から出力される直流電力は、たとえば電圧が２４Ｖとされる。なお、直管形蛍光灯が取り付けられる既存のショーケースをショーケース７０１へと改造するには、まず、ＬＥＤ電源部７５０を取り付ける必要がある。また、直管形蛍光灯を点灯させる原理によって、交流電源部７４０から直管形蛍光灯に延びるケーブルの本数はたとえば２本あるいは４本などの場合がある。ＬＥＤ照明器具１０１は、２本あるいは４本のいずれの本数のケーブルにも対応させることが可能であるため、既存のショーケースの仕様、および改造作業の容易さを考慮して、ＬＥＤ電源部７５０からＬＥＤ照明器具１０１までのケーブル仕様を確定すればよい。
【００６２】
ＬＥＤ照明器具１０１は、各棚７２０の上方に取り付けられている。ＬＥＤ照明器具１０１は、棚７２０に陳列された生鮮食料品を照らすために用いられる。
【００６３】
次に、ＬＥＤ照明器具１０１およびショーケース７０１の作用について説明する。
【００６４】
本実施形態によれば、ＬＥＤ発光部２１０と透光拡散カバー４００との距離Ｈ１が、隣合うＬＥＤ発光部２１０どうしの距離Ｐ１の２．０倍以下とされている。このような構成であれば、発明者らの研究によれば、たとえばＬＥＤ発光部２１０が昼光色を発し、半透明な乳白色の透光拡散カバー４００を透過する場合に、個々のＬＥＤ発光部２１０が点光源であると視認できない程度に出射光が均一化されることが判明した。また、距離Ｈ１が距離Ｐ１の１．０倍以上であることにより、ＬＥＤ発光部２１０がいたずらに高密度化してしまうことにより放熱不足などの問題が顕在化することを回避できるという知見を得た。
【００６５】
ＬＥＤ発光部２１０を透光拡散カバー４００の中心線Ｃｚよりも下方に偏って配置させることにより、距離Ｈ１を比較的大とすることができる。これにより、距離Ｐ１を上述した距離Ｈ１との関係を満たすものとしつつ、距離Ｐ１を比較的大とすることができる。これは、出射光の均一化を図りつつ、放熱不足を抑制できるという利点がある。
【００６６】
発明者らの研究によれば、距離Ｈ１が透光拡散カバー４００の曲率半径Ｒの１．０倍よりも大であれば、出射光の均一化と放熱不足の抑制とを十分に図ることが可能であるとの知見を得た。また、距離Ｈ１が曲率半径Ｒの１．８倍以下であることにより、ＬＥＤ発光部２１０を搭載するのに必要な面積を有する支持面５１１を実現できる。
【００６７】
さらに、ＬＥＤ発光部２２０と透光拡散カバー４００との距離Ｈ１が、隣合うＬＥＤ発光部２２０どうしの距離Ｐ２の２．０倍以下とされている。このような構成であれば、上述した通り、発明者らの研究によれば、たとえばＬＥＤ発光部２２０が赤色を発し、半透明な乳白色の透光拡散カバー４００を透過する場合に、個々のＬＥＤ発光部２２０が赤い点光源であると視認できない程度に出射光が均一化されることが判明した。また、距離Ｈ１が距離Ｐ２の１．０倍以上であることにより、ＬＥＤ発光部２２０がいたずらに高密度化してしまうことにより放熱不足などの問題が顕在化することを回避できるという知見を得た。
【００６８】
ＬＥＤ発光部２１０と同様に、ＬＥＤ発光部２２０を透光拡散カバー４００の中心線Ｃｚよりも下方に偏って配置させることにより、距離Ｈ２を比較的大とすることができる。これにより、距離Ｐ２を上述した距離Ｈ２との関係を満たすものとしつつ、距離Ｐ２を比較的大とすることができる。これは、出射光の均一化を図りつつ、放熱不足を抑制できるという利点がある。
【００６９】
昼光色を発するＬＥＤ発光部２１０と赤色光を発するＬＥＤ発光部２２０とを交互に配置している構成ではあるが、ＬＥＤ発光部２１０およびＬＥＤ発光部２２０のそれぞれの距離Ｐ１，Ｐ２が上述した関係を満たしている。これにより、昼光色および赤色光のそれぞれが点光源であると認識されない程度に均一な光として出射されている。この結果、ＬＥＤ照明器具１０１からは、赤みとして感じられる波長域に若干のピークを有するようなスペクトル分布を有する、昼光色に類似した光が出射される。このような光がＬＥＤ照明器具１０１から出射されることにより、ショーケース７０１においては、陳列された生鮮食料品による反射光が点光源と認識される不当な像となることを回避することができる。また、赤みとして感じられる波長域にピークを有することにより、生成食料品である生肉や赤みを帯びた野菜などの鮮度を十分に実感できる見栄えを実現することができる。
【００７０】
放熱部材５００に１対の側壁５２０を設けることにより、ＬＥＤ発光部２１０，２２０からｙ方向側方に進行する光がある程度遮蔽される。円筒形状である透光拡散カバー４００の内面の不当に広い領域にＬＥＤ発光部２１０，２２０からの光を受けると、その反射光が透光拡散カバー４００の他の部分に集光されてしまい、意図しない輝線を生じるおそれがある。ＬＥＤ発光部２１０，２２０から側方に向かう光の一部を敢えて遮蔽することにより、このような輝線の発生を防止することができる。
【００７１】
側壁５２０の先端に係合部５２１を設けることにより、支持面５１１をｚ方向において確実に偏った位置としつつ、透光拡散カバー４００の中心線Ｃｚにより近い位置で口金６００と係合させる事ができる。中心線Ｃｚに近い領域であれば、係合力を適切に確保可能な程度に係合部５２１を大きくすることができる。また、中心線Ｃｚに近い位置で係合することは、放熱部材５００と口金６００とをバランスよく固定するのに適している。
【００７２】
ＬＥＤ発光部２１０、２２０を図１０に示した回路構成とすることにより、ＬＥＤ照明器具１０１には、たとえば２４Ｖの直流電圧を印加すれば適切に点灯させることができる。ＬＥＤ発光部２１０の総数およびＬＥＤ発光部２２０の総数を、上述した第１直列数と第２直列数との公倍数とすることにより、いくつかのＬＥＤ発光部２１０、２２０のための専用の電流経路を設けたり、抵抗器３５０とは抵抗値が異なる専用の抵抗器を実装するといったことが必要ない。
【００７３】
基板３００のｙ方向両端にアノードライン３２１およびカソードライン３２２が設けられている。さらに、これらのアノードライン３２１およびカソードライン３２２は、基板３００のｘ方向両端に至る領域に設けている。これにより、アノードライン３２１およびカソードライン３２２は、１対の口金６００のいずれの端子６２０にも導通させることができる。これは、既存のショーケースを改造することによりショーケース７０１を構成する場合に、配線作業などの改造作業が煩雑とならないように、アノードライン３２１およびカソードライン３２２と１対の口金６００の端子６２０との導通形態を適宜決定できるという利点がある。
【００７４】
図１３は、本発明の他の実施形態を示している。なお、本図において、上記実施形態と同一または類似の要素には、上記実施形態と同一の符号を付している。本実施形態のＬＥＤ照明器具１０２においては、透光拡散カバー４００は、断面円弧形状とされている。このため、放熱部材５００が図中下方に露出している。放熱部材５００には、複数のフィン５５０が形成されている。複数のフィン５５０は、ｚ方向下方に突出しておりｘ方向に長く延びている。放熱部材５００の支持面５１１が透光拡散カバー４００の中心に対してｚ方向下方に偏っている点は、上述した実施形態と同様である。このような実施形態によっても、ＬＥＤ照明器具１０２から出射する光を均一化することができる。
【００７５】
図１４は、ＬＥＤ照明器具１０１およびＬＥＤ照明器具１０２におけるＬＥＤ発光部２１０からの光とＬＥＤ発光部２２０からの光とが混色された光のスペクトルを示している。このような光は、たとえば透光拡散カバー４００を透して出射される光であり、あるいはＬＥＤ照明器具１０１およびＬＥＤ照明器具１０２における配置を踏襲したＬＥＤ発光部２１０およびＬＥＤ発光部２２０からの光を混色させた光である。この光の色温度は、４２００Ｋ〜５２００Ｋであり、典型的には、４６００Ｋである。
【００７６】
ＬＥＤ発光部２１０の一例においては、電流値が６０ｍＡである場合に、電圧値が２．９〜３．３Ｖである。また、ＬＥＤ発光部２２０の一例においては、電流値が２０ｍＡである場合に、電圧値が典型的には２．１Ｖ、最大値が２．６Ｖである。
【００７７】
波長λＢ１は、青色波長域の短波長限であり、具体的には４００ｎｍである。波長λＢ２は、青色波長域の長波長限であり、具体的には４６０ｎｍである。波長λＧ１は、緑色波長域の短波長限であり、具体的には４６０ｎｍである。波長λＧ２は、緑色波長域の長波長限であり、具体的には５３０ｎｍである。波長λＹ１は、黄色波長域の短波長限であり、具体的には５３０ｎｍである。波長λＹ２は、黄色波長域の長波長限であり、具体的には６００ｎｍである。波長λＲ１は、赤色波長域の短波長限であり、具体的には６００ｎｍである。波長λＲ２は、赤色波長域の長波長限であり、具体的には７００ｎｍである。なお、ここでいう青色波長域、緑色波長域、黄色波長域および赤色波長域は、一般的な青色、緑色、黄色および赤色の色相に概ね準拠するものの、具体的な波長域の数値は、本発明の構成および効果を合理的に表現することを目的として定義されている。ピーク強度ＰＢは、青色波長域におけるピーク強度であり、相対比較の基準として１に設定されている。ピーク強度ＰＧは、ピーク強度ＰＢを１とした場合の緑色波長域におけるピーク強度である。ピーク強度ＰＹは、ピーク強度ＰＢを１とした場合の黄色波長域におけるピーク強度である。ピーク強度ＰＲは、ピーク強度ＰＢを１とした場合の赤色波長域におけるピーク強度である。
【００７８】
このスペクトルにおいては、まず、ピーク強度ＰＢに対して、ピーク強度ＰＲが０．８０〜１．２であることにより、いわゆる赤色を発色させる強度が比較的強い構成となっている。一方、このようにピーク強度ＰＲが比較的強いことに対して、ピーク強度ＰＹが０．３０〜０．５５であり、いわゆる黄色を発色させる強度が比較的弱い構成となっている。さらに、最小強度ＰＧが０．１５〜０．４０であることにより、いわゆる緑色を発色させる強度が極端に微弱になることなく、一般的な昼光色を発するＬＥＤ照明器具における場合と比べて強い強度とされている。
【００７９】
図１５は、ＬＥＤ照明器具１０１およびＬＥＤ照明器具１０２におけるＬＥＤ発光部２１０からの光のスペクトルを示している。波長域は図１４と同様の定義による。ピーク強度ＰＢ１は、青色波長域におけるピーク強度であり、図１４のピーク強度ＰＢを１とした場合のピーク強度である。ピーク強度ＰＧ１は、ピーク強度ＰＢを１とした場合の緑色波長域におけるピーク強度である。ピーク強度ＰＹ１は、ピーク強度ＰＢを１とした場合の黄色波長域におけるピーク強度である。ピーク強度ＰＲ１は、ピーク強度ＰＢを１とした場合の赤色波長域におけるピーク強度である。このスペクトルにおけるピーク強度ＰＢ１は、図１４におけるピーク強度ＰＢとほぼ同じ値である。また、緑色波長域におけるピーク強度ＰＧ１は、図１４におけるピーク強度ＰＧとほぼ同じ値である。また、黄色波長域におけるピーク強度ＰＹ１は、図１４におけるピーク強度ＰＹとほぼ同じ値である。すなわち、図１４におけるスペクトルのうち青色波長域、緑色波長域および黄色波長域における強度は、ＬＥＤ発光部２１０によって負担されている。ピーク強度ＰＲ１は、たとえば０．１５〜０．４程度の値をとりうる。
【００８０】
図１６は、ＬＥＤ照明器具１０１およびＬＥＤ照明器具１０２におけるＬＥＤ発光部２２０からの光のスペクトルを示している。波長域は図１４と同様の定義による。ピーク強度ＰＢ２は、青色波長域におけるピーク強度であり、図１４のピーク強度ＰＢを１とした場合のピーク強度である。ピーク強度ＰＧ２は、ピーク強度ＰＢを１とした場合の緑色波長域におけるピーク強度である。ピーク強度ＰＹ２は、ピーク強度ＰＢを１とした場合の黄色波長域におけるピーク強度である。ピーク強度ＰＲ２は、ピーク強度ＰＢを１とした場合の赤色波長域におけるピーク強度である。このスペクトルにおけるピーク強度ＰＢ２、ピーク強度ＰＧ２およびピーク強度ＰＹ２は、ほとんど０とみなすことができる大きさである。一方、赤色波長域におけるピーク強度ＰＲ２は、０．６０〜０．９０である。すなわち、図１４のスペクトルにおけるピーク強度ＰＲの大部分は、ＬＥＤ発光部２２０によって負担されるものの、ＬＥＤ発光部２１０によっても負担されている。
【００８１】
図１４において赤色波長域のピーク強度ＰＲが０．８０〜１．２であることにより、ＬＥＤ照明器具１０１，１０２によって精肉を照らした場合に、精肉の赤色を鮮やかに発色させることができる。その一方、黄色波長域のピーク強度ＰＹが０．３０〜０．５５に抑えられていることにより、ＬＥＤ照明器具１０１，１０２によって白色の物体を照らした際に、この物体が不自然に赤みがかって見えてしまうことを抑制することができる。この点については、発明者らは試験研究の結果、スペクトルにおけるピーク強度ＰＲが比較的強い場合に、黄色波長域のピーク強度ＰＹが、白色の物体を赤みがかって見せてしまうことを左右する一因であるという知見を得たのである。しかし、ピーク強度ＰＹをある程度抑えてしまうと、ＬＥＤ照明器具１０１，１０２全体の光の色温度が低下してしまう。この点を担保すべく、発明者らは、緑色波長域の最小強度ＰＧを０．１５〜０．４０とした。この値は、白色を発する一般的なＬＥＤ照明器具と比較して、相対的に大きい値である。このような値とすることにより、まず、ＬＥＤ照明器具１０１，１０２全体の光の色温度が低下してしまうことを防止することが可能であり、４２００Ｋ〜５２００Ｋの色温度を維持することができる。これにより、ＬＥＤ照明器具１０１，１０２全体の光はバランスの良い白色となっており、白色の物体を照らした場合に不自然な色を呈することを防止することができる。また、ＬＥＤ照明器具１０１，１０２によって野菜などを照らした場合に、野菜の緑色を鮮やかに発色させることができる。以上より、図１４〜図１６に示したＬＥＤ照明器具１０１，１０２によれば、バランスのよい白色を呈するように白色の物体を照らしつつ、精肉の赤色や野菜の緑色を鮮やかに発色させることが可能であり、生鮮食料品を陳列するショーケースなどに好適に用いることができる。
【００８２】
ＬＥＤ照明器具１０１，１０２から図１４に示すスペクトルの光を出射するために、本発明においては、ＬＥＤ発光部２１０から図１５に示すスペクトルの光を出射し、かつＬＥＤ発光部２２０から図１６に示すスペクトルの光を出射する構成を採用している。ＬＥＤ発光部２１０のスペクトルによって、図１４のスペクトルにおけるピーク強度ＰＢ，ＰＹと最小強度ＰＧのほぼすべてを担保する構成となっている。このような構成は、図６を参照して説明した通り、ＬＥＤチップ２１１から青色光を発するとともに、透光樹脂２１２に含まれた蛍光材料が励起され、緑色波長域および黄色波長域の光を発する構成によって実現される。特に、緑色波長域および黄色波長域の光の強度は、蛍光材料の種類や含有量を適宜設定することにより得られる。一方、図１４における赤色波長域のピーク強度ＰＲについては、ＬＥＤ発光部２２０からの光によって大部分を担保するものの、ＬＥＤ発光部２１０からの光によっても一部が担保される。このような構成は、ＬＥＤ発光部２２０のみによって、図１４におけるピーク強度ＰＲを得ることが困難である場合に、ＬＥＤ発光部２２０を構成するＬＥＤチップ２２１の個数や大きさをいたずらに拡大すること無く、ＬＥＤ発光部２１０から黄色波長域の光とともに不可避的に発せられる赤色波長域の光を合理的に利用して図１４におけるピーク強度ＰＲを得ることができる。
【００８３】
このように、図１４に示すスペクトルを実現すべく、互いの役割が明確に設定されたＬＥＤ発光部２１０およびＬＥＤ発光部２２０を、上述した距離Ｐ１、距離Ｈ１、距離Ｐ２および距離Ｈ２の関係とすることにより、個々のＬＥＤ発光部２１０およびＬＥＤ発光部２２０が点光源であると視認できない程度に出射光を均一化することが可能である。したがって、ＬＥＤ照明器具１０１，１０２によって照らされた物体の一部が、ＬＥＤ発光部２１０やＬＥＤ発光部２２０からの光のみによってもっぱら照らされ、青みがかったり、赤みがかったりすることを防止することができる。また、生鮮食料品である精肉や野菜を均一にかつ鮮やかに発色させることができる。
【００８４】
本発明に係るＬＥＤ照明器具およびショーケースは、上述した実施形態に限定されるものではない。本発明に係るＬＥＤ照明器具およびショーケースの各部の具体的な構成は、種々に設計変更自在である。
【００８５】
本発明で言うＬＥＤ発光部は、上述したＬＥＤモジュールに限定されず、たとえばＬＥＤチップが直接実装されたベアチップの形態であってもよい。また、放熱部材５００の支持面５１１に絶縁処理を施し、かつ配線パターンを形成するなどの方策により、支持面５１１にＬＥＤ発光部を直接実装してもよい。互いに異なる光を発する第１ＬＥＤ発光部および第２ＬＥＤ発光部を備える構成に限定されず、たとえば単一の光を発する第１ＬＥＤ発光部のみを備える構成であってもよい。本願で言うＬＥＤ照明器具は、直管形蛍光灯の代替照明器具として構成されたものに限定されず、たとえばＬＥＤシーリングライトとして構成されていてもよい。本願で言うＬＥＤ照明器具の用途は、ショーケースに限定されず、様々な用途に使用することができる。
【符号の説明】
【００８６】
１０１，１０２  ＬＥＤ照明器具
２１０  （第１）ＬＥＤ発光部
２２０  （第２）ＬＥＤ発光部
２１１，２２１  ＬＥＤチップ
２１２，２２２  透光樹脂
２１３，２２３  実装端子
２１４，２２４  ケース
３００  基板
３１０  基材
３２０  配線パターン
３２１  アノードライン
３２２  カソードライン
３２３  枝部
３２４  横断部
３２５  非横断部
３５０  抵抗器
４００  透光拡散カバー
５００  放熱部材
５１０  底板
５１１  支持面
５２０  側壁
５２１  係合部
５２２  リブ
５５０  フィン
６００  口金
６１０  ケース
６１１  係合突起
６１２，６１３  挟持部
６２０  端子
６２１  ケーブル
７０１  ショーケース
７１０  筐体
７２０  棚
７３０  冷却手段
７４０  交流電源部
７５０  ＬＥＤ電源部
【図１】
2014186998.tif 000003
【図２】
2014186998.tif 000004
【図３】
2014186998.tif 000005
【図４】
2014186998.tif 000006
【図５】
2014186998.tif 000007
【図６】
2014186998.tif 000008
【図７】
2014186998.tif 000009
【図８】
2014186998.tif 000010
【図９】
2014186998.tif 000011
【図１０】
2014186998.tif 000012
【図１１】
2014186998.tif 000013
【図１２】
2014186998.tif 000014
【図１３】
2014186998.tif 000015
【図１４】
2014186998.tif 000016
【図１５】
2014186998.tif 000017
【図１６】
2014186998.tif 000018